(57)【要約】【課題】水の温度の切り替わりの時間を短縮し快適なミスト入浴ができることを目的とする。【解決手段】微細水滴生成手段および送風手段によって浴室内に微細水滴の供給を行い、送風手段を停止する一定時間前に、流量制御弁を閉じることという構成にしたことにより、人為的にあるいは自動的に送風手段を停止する一定時間前に流量制御弁を完全閉じるので、水の温度の切り替わりの時間を短縮し快適なミスト入浴ができる浴室暖房乾燥機を得られる。【選択図】図４
2015058177.tif 000002
【特許請求の範囲】
【請求項１】
本体に、浴室内に空気を送風する送風手段および送風風路と、空気を加熱する空気加熱手段と、微細な水滴を生成する微細水滴生成手段と、前記微細水滴生成手段に水を供給する水供給手段と、前記水供給手段の水を加熱する水加熱手段と、前記水加熱手段の加熱量を調整する調整弁と、前記浴室内の空気を換気する換気手段および換気風路と、前記浴室内に空気を吹き出す吹出口と、前記送風手段および前記空気加熱手段および前記微細水滴生成手段および前記調整弁の動作を制御する制御手段とを備え、前記微細水滴生成手段および前記送風手段によって前記浴室内に微細水滴の供給を行い、前記送風手段を停止する一定時間前に、前記調整弁を閉じることを特徴とする浴室暖房乾燥機。
【発明の詳細な説明】
【技術分野】
【０００１】
本発明は、主に一般家庭における浴室のミスト入浴に使用される浴室暖房乾燥機に関するものである。
【背景技術】
【０００２】
例えば、浴室暖房乾燥機に搭載されているサウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、給水管から液体を噴射させる構成となっていた（例えば特許文献１参照）。
【先行技術文献】
【特許文献】
【０００４】
【特許文献１】特開平６−６３１０３号公報
【発明の概要】
【発明が解決しようとする課題】
【０００５】
このような従来の浴室暖房乾燥機においては、高温高湿空間を作りだすミストサウナに加えクールダウンを行うための冷感ミストサウナ機能備えた浴室暖房乾燥機において、冷感ミストサウナへ切り替わる際に水の温度調整を行うため切り替わりに時間がかかり快適なミスト入浴ができない、という課題を有していた。
【０００６】
そこで本発明は、上記従来の課題を解決するものであり、水の温度の切り替わりの時間を短縮し快適なミスト入浴ができる浴室暖房乾燥機を提供することを目的とする。
【課題を解決するための手段】
【０００７】
そして、この目的を達成するために、本発明は、本体に、浴室内に空気を送風する送風手段および送風風路と、空気を加熱する空気加熱手段と、微細な水滴を生成する微細水滴生成手段と、前記微細水滴手段に水を供給する水供給手段と、前記水供給手段の水を加熱する水加熱手段と、前記水加熱手段の加熱量を調整する調整弁と、前記浴室内の空気を換気する換気手段および換気風路と、前記浴室内に空気を吹き出す吹出口と、前記送風手段および前記空気加熱手段および前記微細水滴生成手段および前記調整弁の動作を制御する制御手段とを備え、前記微細水滴生成手段および前記送風手段によって前記浴室内に微細水滴の供給を行い、前記送風手段を停止する一定時間前に、前記調整弁を閉じるとしたものであり、これにより所期の目的を達成するものである。
【発明の効果】
【０００８】
本発明によれば、本体に、浴室内に空気を送風する送風手段および送風風路と、空気を加熱する空気加熱手段と、微細な水滴を生成する微細水滴生成手段と、前記微細水滴手段に水を供給する水供給手段と、前記水供給手段の水を加熱する水加熱手段と、前記水加熱手段の加熱量を調整する調整弁と、前記浴室内の空気を換気する換気手段および換気風路と、前記浴室内に空気を吹き出す吹出口と、前記送風手段および前記空気加熱手段および前記微細水滴生成手段および前記調整弁の動作を制御する制御手段とを備え、前記微細水滴生成手段および前記送風手段によって前記浴室内に微細水滴の供給を行い、前記送風手段を停止する一定時間前に、前記調整弁を閉じる、という構成にしたことにより、人為的にあるいは自動的に送風手段を停止する一定時間前に調整弁を完全閉じることとなるので、水の温度の切り替わりの時間を短縮し快適なミスト入浴ができる、という効果を得ることができる。
【図面の簡単な説明】
【０００９】
【図１】本発明の実施の形態１の浴室暖房乾燥機の浴室に設置した状態を示す斜視図
【図２】同浴室暖房乾燥機の側断面を示す構成図
【図３】同浴室暖房乾燥機の水回路を示す構成図
【図４】同浴室暖房乾燥機の動作を示すタイムチャートを示す図
【発明を実施するための形態】
【００１０】
本発明の請求項１記載の浴室暖房乾燥機は、本体に、浴室内に空気を送風する送風手段および送風風路と、空気を加熱する空気加熱手段と、微細な水滴を生成する微細水滴生成手段と、前記微細水滴手段に水を供給する水供給手段と、前記水供給手段の水を加熱する水加熱手段と、前記水加熱手段の加熱量を調整する調整弁と、前記浴室内の空気を換気する換気手段および換気風路と、前記浴室内に空気を吹き出す吹出口と、前記送風手段および前記空気加熱手段および前記微細水滴生成手段および前記調整弁の動作を制御する制御手段とを備え、前記微細水滴生成手段および前記送風手段によって前記浴室内に微細水滴を供給を行い、前記送風手段を停止する一定時間前に、前記調整弁を閉じる、という構成を有する。これにより、人為的にあるいは自動的に送風手段を停止する一定時間前に調整弁を完全閉じることとなるので、水の温度の切り替わりの時間を短縮し快適なミスト入浴ができる、という効果を奏する。
【００１１】
以下、本発明の実施の形態について図面を参照しながら説明する。
【００１２】
（実施の形態１）
図１において、１は浴室を示し、この浴室１の浴槽の上方の天井面２には浴室暖房乾燥機３が取り付けられている。
【００１３】
また、浴室暖房乾燥機３には、点検口（図示はしないが洗い場の直上）から見て側面に温水配管４が、正面に給水配管５が接続されている。
【００１４】
また、図２に示すように、浴室暖房乾燥機３は、方形状の本体ケース６に、浴室１内の空気を本体ケース６内に取り入れる下方に設けた吸込み口７と、浴室１内の空気を加熱する第１加熱手段８（一般的に言われている熱交換器）と、第１加熱手段８で加熱された空気を加湿する微細水滴生成手段としての加湿手段９（気化式でも破砕式でもどちらでもよい）と、加湿手段９で加湿されて温度が下がった空気を再加熱する加湿手段９の風下側に第２加熱手段１０（第１加熱手段と同様）と、第２加熱手段１０で再加熱された高温高湿の空気を浴室１に吹き出す吹出し口１１を配置し、吸込み口７と第１加熱手段８と加湿手段９と第２加熱手段１０と吹出し口１１をこの順番で通風路１２にて連通する。
【００１５】
通風路１２の途中には、浴室１内の空気を吸込み口７から本体ケース６内に取り入れ、吹出し口１１から浴室１に吹き出すための静圧にとって有利な遠心送風機である送風手段としての循環送風手段１３を設け、また、吹出し口１１には浴室１に吹き出す空気の風向を変化させる風向変化手段１４であるルーバーを備えた構成となっている。
【００１６】
また、本体ケース６内に制御手段１５を備えた構成となっている。
【００１７】
次に、本実施形態の浴室暖房乾燥機３の水回路（水の流れ）について説明する。
【００１８】
図３に示すように、温水器１６と接続される温水配管４ａは、浴室暖房乾燥機３内で二股に分かれ、その一方が水熱交換器１７と接続され、その他方が熱動弁２５を介し、第１加熱手段８と接続される。水熱交換器１７は給水配管５から第１接続管２０までの経路と、温水配管４ａから第２接続管２１までの経路は、内部で区画分けされたものであり、複数の伝熱板を介して熱の授受が行われる。
【００１９】
なお、第１加熱手段８と温水器１６間においては、第１加熱手段８への温水の供給を司る温水開閉弁３２が第１加熱手段８と接続される温水配管４ａに介在されている。
【００２０】
水熱交換器１７は、水が給水される給水配管５と、温水器１６と接続される温水配管４ａと、加湿手段９側と接続される第１接続管２０と、第２加熱手段１０と接続される第２接続管２１と接続されている。
【００２１】
噴霧ノズル１９および加湿手段９と接続される第１接続管２０は、噴霧ノズル１９側のＳ電磁弁２３および加湿手段９側のＭ電磁弁２４と接続され、前記給水配管５側からの水を噴霧ノズルおよび加湿手段９に通水可能となっている。
【００２２】
また、第２加熱手段１０と接続される第２接続管２１は、温水器１６の温水を第２加熱手段１０に供給可能となっている。ちなみに、第２加熱手段１０は、第３接続管２２を介して温水器１６の温水配管４ｂと接続される。このため、第２加熱手段１０は、温水器１６に温水（水）を戻すことが可能となっている。なお、第２加熱手段１０側の第３接続管２２には流量制御弁１８が介在される。このため、流量制御弁１８により、第２加熱手段１０や水熱交換器１７内を通過する水（温水）の流量が調整可能となっている。
【００２３】
上記構成において、主要な動作を、図３および図４を用いて説明する。
【００２４】
浴室暖房乾燥機３にて温冷感運転が選択されると、制御手段１５により、給水配管５より供給された水を水熱交換器１７により温水器１６から供給された温水と熱交換を行うことで温めた水を噴霧ノズル１９により浴室１内に噴射される温感ミストと熱交換せずに水を噴霧ノズル１９により噴霧される冷感ミストとが交互に実施される運転が開始される。
【００２５】
なお、第１加熱手段８で加熱された空気を加湿手段９により加湿し、加湿手段９で加湿されて温度が下がった空気を第２加熱手段１０により再加熱し、再加熱された高温高湿の空気を吹出し口１１より浴室１に吹き出す方法でもよい。
【００２６】
制御手段１５により熱動弁２５および流量制御弁１８が開き、温水器１６より温水配管４ａを介して第１加熱手段８および水熱交換器１７および第２加熱手段１０に供給されるとともに、循環送風手段１３により本体ケース６内に取り込んだ浴室内の空気を第１加熱手段８および第２加熱手段１０により加熱し、浴室へと供給することで浴室内を温める。
【００２７】
そして、一定時間（例えば浴室内が温められるのが５〜１５分）が経過するとＳ電磁弁２３を開くことで、給水配管５より水が水熱交換器１７に供給され、循環温水との熱交換によって温められた水が噴霧ノズル１９より浴室内に噴霧され、温感ミストが開始される。
【００２８】
そして、制御手段１５により温感ミストが開始されＴ１秒（例えば６００秒（５分））がカウントされると循環送風手段１３を停止し、温度の低い水を浴室１に供給する冷感ミストへ移行するが、制御手段１５により、Ｔ１−Ｔ２（あらかじめ決めた秒数、例えば６０秒）秒より流量制御弁１８が閉じられ、水熱交換器１７および第２加熱手段１０への温水の供給が停止することで、噴霧ノズル１９より浴室１内に噴霧される水の温度が徐々に低下して、Ｔ１秒後には所定の温度となる。
【００２９】
これにより、人為的にあるいは自動的に循環送風手段１３を停止する一定時間（例えば６０秒）前に流量制御弁１８を完全に閉じることとなるので、供給する水の温度の切り替わりの時間を短縮し快適なミスト入浴ができる。
【００３０】
また、温感ミストを、Ｍ電磁弁２４を開いて給水配管５より水が水熱交換器１７に供給され、循環温水との熱交換によって温められた水を加湿手段９へ供給した運転とした場合でも同様の効果が得られる。
【産業上の利用可能性】
【００３１】
本発明にかかる浴室暖房乾燥機は、水の温度の切り替わりの時間を短縮し快適なミスト入浴ができることを可能とするものであるので、浴室のみならず、例えば専用のミスト室などを利用したミスト入浴等として有用である。
【符号の説明】
【００３２】
１    浴室
２    天井面
３    浴室暖房乾燥機
４    温水配管
４ａ  温水配管
４ｂ  温水配管
５    給水配管
６    本体ケース
７    吸込み口
８    第１加熱手段
９    加湿手段
１０  第２加熱手段
１１  吹出し口
１２  通風路
１３  循環送風手段
１４  風向変化手段
１５  制御手段
１６  温水器
１７  水熱交換器
１８  流量制御弁
１９  噴霧ノズル
２０  第１接続管
２１  第２接続管
２２  第３接続管
２３  Ｓ電磁弁
２４  Ｍ電磁弁
２５  熱動弁
【図１】
2015058177.tif 000003
【図２】
2015058177.tif 000004
【図３】
2015058177.tif 000005
【図４】
2015058177.tif 000006